(57)【要約】【課題】両手が塞がった状態の利用者や両手が不自由な利用者であっても、行先階を誤登録することなく、確実に登録することができるエレベータの行先階登録装置を提供する。【解決手段】エレベータのかご内又は乗場に設けられた音声入力装置と、音声入力装置に近接してかご内又は乗場に設けられた風圧検出装置と、風圧検出装置が風圧を検出してから一定時間内に音声入力装置に入力された音声に基づいて、エレベータの行先階を登録する制御装置とを備えた。また、この発明に係るエレベータの行先階登録装置は、エレベータのかご内又は乗場に設けられ、圧力のかかった位置に基づいて、行先階を登録する圧力検出装置と、圧力検出装置に近接してかご内又は乗場に設けられた風圧検出装置とを備え、圧力検出装置は、風圧検出装置が風圧を検出してから一定時間内は、圧力検出感度を上げる構成とした。【選択図】図２
2010247960.tif 000002
【特許請求の範囲】
【請求項１】
エレベータのかご内又は乗場に設けられた音声入力装置と、
前記音声入力装置に近接して前記かご内又は前記乗場に設けられた風圧検出装置と、
前記風圧検出装置が風圧を検出してから一定時間内に前記音声入力装置に入力された音声に基づいて、前記エレベータの行先階を登録する制御装置と、
を備えたことを特徴とするエレベータの行先階登録装置。
【請求項２】
エレベータのかご内又は乗場に設けられ、圧力のかかった位置に基づいて、行先階を登録する圧力検出装置と、
前記圧力検出装置に近接して前記かご内又は前記乗場に設けられた風圧検出装置と、
を備え、
前記圧力検出装置は、前記風圧検出装置が風圧を検出してから一定時間内は、圧力検出感度を上げることを特徴とするエレベータの行先階登録装置。
【請求項３】
前記風圧検出装置が設置された前記かご内又は前記乗場に設けられ、前記行先階の登録結果を表示する表示装置、
を備えたことを特徴とする請求項１又は請求項２に記載のエレベータの行先階登録装置。
【請求項４】
前記風圧検出装置が設置された前記かご内又は前記乗場に設けられ、前記行先階の登録結果を音声出力する音声出力装置、
を備えたことを特徴とする請求項１〜請求項３のいずれかに記載のエレベータの行先階登録装置。
【発明の詳細な説明】
【技術分野】
【０００１】
この発明は、エレベータの行先階登録装置に関するものである。
【背景技術】
【０００２】
エレベータの行先階登録装置として、行先階を音声にて入力し、入力した内容を報知し、報知した内容をエレベータ制御装置に伝達してエレベータを制御するものが提案されている。かかる行先階登録装置によれば、両手が塞がった状態の利用者や両手が不自由な利用者であっても、行先階の登録ができる（例えば、特許文献１参照）。
【先行技術文献】
【特許文献】
【０００３】
【特許文献１】実開昭６２−５０１７７号公報
【発明の概要】
【発明が解決しようとする課題】
【０００４】
しかし、特許文献１記載のものは、音声を検出するためのトリガが設定されていない。このため、入力された音声が行先階の登録を意図したものか、単なる会話なのかを判断することができない。従って、利用者が行先階を意図せずに発した音声が検出され、行先階の誤登録がなされる場合があるという問題があった。
【０００５】
この発明は、上述のような課題を解決するためになされたもので、その目的は、両手が塞がった状態の利用者や両手が不自由な利用者であっても、行先階を誤登録することなく、確実に登録することができるエレベータの行先階登録装置を提供することである。
【課題を解決するための手段】
【０００６】
この発明に係るエレベータの行先階登録装置は、エレベータのかご内又は乗場に設けられた音声入力装置と、前記音声入力装置に近接して前記かご内又は前記乗場に設けられた風圧検出装置と、前記風圧検出装置が風圧を検出してから一定時間内に前記音声入力装置に入力された音声に基づいて、前記エレベータの行先階を登録する制御装置とを備えたものである。
【０００７】
また、この発明に係るエレベータの行先階登録装置は、エレベータのかご内又は乗場に設けられ、圧力のかかった位置に基づいて、行先階を登録する圧力検出装置と、前記圧力検出装置に近接して前記かご内又は前記乗場に設けられた風圧検出装置とを備え、前記圧力検出装置は、前記風圧検出装置が風圧を検出してから一定時間内は、圧力検出感度を上げるものである。
【発明の効果】
【０００８】
これらの発明によれば、両手が塞がった状態の利用者や両手が不自由な利用者であっても、行先階を誤登録することなく、確実に登録することができる。
【図面の簡単な説明】
【０００９】
【図１】この発明の実施の形態１におけるエレベータの行先階登録装置のブロック図である。
【図２】この発明の実施の形態１におけるエレベータの行先階登録装置のシステム構成図である。
【図３】この発明の実施の形態１におけるエレベータの行先階登録装置に利用される風圧検出装置の構造図である。
【図４】この発明の実施の形態１におけるエレベータの行先階登録装置の各種情報の具体例を示す図である。
【図５】この発明の実施の形態１におけるエレベータの行先階登録装置による行先階の登録方法を説明するためのシーケンス図である。
【発明を実施するための形態】
【００１０】
この発明を実施するための形態について添付の図面に従って説明する。なお、各図中、同一又は相当する部分には同一の符号を付しており、その重複説明は適宜に簡略化ないし省略する。
【００１１】
実施の形態１．
エレベータの利用者は、かご内又は各乗場に設けられた行先階登録装置を利用して行先階を登録する。この登録に応答して、かごが行先階へ移動する。
【００１２】
図１はこの発明の実施の形態１におけるエレベータの行先階登録装置のブロック図である。
図１において、１は制御室である。この制御室１内には、制御装置２が設けられる。３はエレベータのかごである。このかご３内には、行先階登録装置４が設けられる。この行先階登録装置４には、風圧検出装置５、音声入力装置６、圧力検出装置７、入力制御装置８、表示装置９、音声出力装置１０が互いに近接して設けられる。
【００１３】
風圧検出装置５は、風や息を検出する機能を備える。音声入力装置６は、音声が入力される機能を備える。圧力検出装置７は、指等からの圧力を検出する機能を備える。入力制御装置８は、風圧検出装置５、音声入力装置６、圧力検出装置７から送信された情報を分析する機能を備える。また、入力制御装置８は、制御装置２との間で、各種情報を送受信する機能を備える。表示装置９は、入力制御装置８の分析結果を表示する機能を備える。音声出力装置１０は、入力制御装置８の分析結果を音声出力する機能を備える。
【００１４】
次に、図２を用いて、行先階登録装置４のシステム構成を説明する。
図２はこの発明の実施の形態１におけるエレベータの行先階登録装置のシステム構成図である。
図２に示すように、風圧検出装置５は、風圧を検出すると、風圧検出情報ａ１を入力制御装置８に送信する。
【００１５】
入力制御装置８は、風圧検出情報ａ１を受信すると、音声入力制御情報ａ２を音声入力装置６に送信するとともに、圧力検出制御情報ａ３を圧力検出装置７に送信する。また、これと同時に、入力制御装置８は、結果出力情報（表示）ａ４を表示装置９に送信するとともに、結果出力情報（音声）ａ５を音声出力装置１０に送信する。
【００１６】
音声入力装置６は、音声入力制御情報ａ２を受信すると、音声入力の検出を開始する。
圧力検出装置７は、圧力検出制御情報ａ３を受信すると、圧力の検出レベルを風圧でも検知できるレベルに変更する。表示装置９は、結果出力情報（表示）ａ４を受信すると、音声入力や風圧による行先階登録を促す案内を表示する。また、音声出力装置１０は、結果出力情報（音声）ａ５を受信すると、音声入力や風圧による行先階登録を促す案内を音声出力する。
【００１７】
そして、音声入力装置６は、音声が入力されると、入力音声を解析して行先階を特定するとともに、入力制御装置８に対し、音声検出情報ａ６を送信する。また、圧力検出装置７は、圧力を検出すると、かかった圧力の位置に基づいて行先階を特定するとともに、入力制御装置８に対し、圧力検出情報ａ７を送信する。
【００１８】
入力制御装置８は、音声検出情報ａ６又は圧力検出情報ａ７を受信すると、制御装置２に対し、行先登録更新情報ａ８を送信する。制御装置２は、行先登録更新情報ａ８を受信すると、行先登録更新情報ａ８に基づいて行先階の情報更新を行い、入力制御装置８に対し、行先登録情報ａ９を送信する。
【００１９】
入力制御装置８は、行先登録情報ａ９を受信すると、表示装置９に対し、行先登録情報ａ９に対応した結果出力情報（表示）ａ４を送信するとともに、音声出力装置１０に対し、行先登録情報ａ９に対応した結果出力情報（音声）ａ５を送信する。
【００２０】
次に、図３を用いて、本実施の形態の風圧検出装置５をより詳細に説明する。
図３はこの発明の実施の形態１におけるエレベータの行先階登録装置に利用される風圧検出装置の構造図である。
図５において、風圧検出装置５は、かご３の壁に設けられる。この風圧検出装置５は、圧力検出部１１と圧力算出判定部１２とを備える。
【００２１】
圧力検出部１１は、壁の外部に設置されるか、検出面を壁の外部に露出させている。この圧力検出部１１は、常時、検出圧力１３を圧力算出判定部１２に送信する機能を備える。圧力算出判定部１２は、受信した検出圧力１３が予め設定された量以上に変化した場合に、風圧検出情報ａ１を入力制御装置８に送信する機能を備える。
【００２２】
かかる構成の風圧検出装置５においては、利用者１４が風圧検出装置５に息１５を吹きかけると、圧力検出部１１から圧力算出判定部１２へ送信される検出圧力１３が予め設定された量以上に変化する。かかる圧力変化により、圧力算出判定部１２が、風圧検出情報ａ１を入力制御装置８に送信する。
【００２３】
次に、図４を用いて、行先階登録装置４における各種情報の具体例を説明する。
図４はこの発明の実施の形態１におけるエレベータの行先階登録装置の各種情報の具体例を示す図である。
図４において、風圧検出情報ａ１とは、風圧検出装置５に風や息１５等が吹きかけられた場合に発生する「風圧を検出した信号ｂ１」である。
【００２４】
音声入力制御情報ａ２とは、「音声入力による検出を許可するための信号ｂ２」である。この音声入力制御情報ａ２は、入力制御装置８が風圧検出情報ａ１を受信してから一定期間、音声入力装置６に送信されるものである。
【００２５】
圧力検出制御情報ａ３とは、「圧力感度を変更する情報ｂ３」である。この圧力検出制御情報ａ３は、入力制御装置８が風圧検出情報ａ１を受信してから一定期間、圧力検出装置７に送信されるものである。この圧力感度の変更は、風圧程度に検出できる感度にすることを想定している。
【００２６】
結果出力情報（表示）ａ４は、「風圧を検出した際の音声入力又は圧力検出による行先階登録を促す表示による案内情報ｂ４」である。かかる案内情報ｂ４は、例えば、「行先階を音声入力してください」等の表示を意味するものである。また、結果出力情報（表示）ａ５には、「音声入力又は圧力検出による行先階登録の表示による操作結果情報ｂ５」も含まれる。かかる操作結果情報ｂ５は、例えば、「登録を受け付けました」等の表示を意味するものである。
【００２７】
結果出力情報（音声）ａ５は、「風圧を検出した際の音声入力又は圧力検出による行先階登録を促す表示による案内情報ｂ６」である。かかる案内情報ｂ６は、例えば、「行先階を音声入力してください」等の音声出力を意味するものである。また、結果出力情報（音声）ａ５には、「音声入力又は圧力検出による行先階登録の表示による操作結果情報ｂ７」も含まれる。かかる操作結果情報ｂ７は、例えば、「登録を受け付けました」等の音声出力を意味するものである。
【００２８】
音声検出情報ａ６とは、「音声から特定した行先階の情報ｂ８」である。また、音声検出情報ａ６には、「音声から行先階を特定できなかった際のエラー情報ｂ９」も含まれる。
【００２９】
圧力検出情報ａ７とは、「圧力検出から特定した行先階の情報ｂ１０」である。この圧力検出情報ａ７は、利用者１４の指や息１５等の圧力がかかった圧力検出装置７の位置に基づくものである。また、圧力検出情報ａ７には、「圧力から行先階を特定できなかった際のエラー情報ｂ１１」も含まれる。
【００３０】
行先登録更新情報ａ８とは、利用者１４が登録した行先階等の「入力された階床情報ｂ１２」である。行先登録情報ａ９とは、制御装置２が階床情報ｂ１２に基づいて設定した「エレベータが停止する階床の情報ｂ１３」である。
【００３１】
次に、図５を用いて、本実施の形態の行先階登録装置４を用いて行先階を登録する方法を説明する。
図５はこの発明の実施の形態１におけるエレベータの行先階登録装置による行先階の登録方法を説明するためのシーケンス図である。
まず、ｃ１に示すように、利用者１４は、風圧検出装置５に対し、息１５を吹きかける等して、風圧をかける。風圧のかかった風圧検出装置５は、ｃ２に示すように、入力制御装置８に風圧検出情報ａ１を送信する。
【００３２】
風圧検出情報ａ１を受信した入力制御装置８は、ｃ３に示すように、一定時間、音声入力制御情報ａ２を音声入力装置６に送信するとともに、圧力検出制御情報ａ３を圧力検出装置７に送信する。また、これと同時に、入力制御装置８は、利用者１４に行先階の入力を促すため、結果出力情報（表示）ａ４を表示装置９に送信するとともに、結果出力情報（音声）ａ５を音声出力装置１０に送信する。
【００３３】
そして、ｃ４に示すように、音声入力装置６は、音声入力制御情報ａ２を受信すると、音声入力検出処理を開始する。また、圧力検出装置７は、圧力検出制御情報ａ３を受信すると、圧力検出感度を変更し、風圧を検知できるレベルに上げる。その後、ｃ５に示すように、利用者１４は、表示装置９や音声出力装置１０による行先階の入力案内を確認して、音声又は圧力による行先階の登録操作を行う。
【００３４】
かかる登録操作の後、ｃ６に示すように、音声入力装置６は、利用者１４の音声による入力を検出して判定を行い、判定結果を音声検出情報ａ６として入力制御装置８に送信する。一方、圧力検出装置７は、利用者１４の圧力による入力を検出して判定を行い、判定結果を圧力検出情報ａ７として入力制御装置８に送信する。
【００３５】
そして、ｃ７に示すように、入力制御装置８は、受信した音声検出情報ａ６や圧力検出情報ａ７から利用者１４が登録した階床の情報を行先登録更新情報ａ８として制御装置２に送信する。
【００３６】
その後、ｃ８に示すように、制御装置２は、受信した行先登録更新情報ａ８に基づいて行先階の更新を行い、更新結果を行先登録情報ａ９として入力制御装置８に送信する。そして、ｃ９に示すように、入力制御装置８は、受信した行先登録情報ａ９に基づいて更新結果を抽出し、その内容を、結果出力情報（表示）ａ４として表示装置９に送信するとともに、結果出力情報（音声）ａ５として音声出力装置１０に送信する。
【００３７】
かかる結果出力情報（表示）ａ４を受信した表示装置９は、受信内容を表示する。一方、かかる結果出力情報（音声）ａ５を受信した音声出力装置１０は、受信内容を音声出力する。
【００３８】
以上で説明した実施の形態１によれば、行先階の登録は、風圧検出と音声入力又は圧力検出との２段階で行われる。具体的には、風圧検出装置５が風圧を検出してから一定時間内に音声入力装置６に入力された音声に基づいて、行先階が登録される。また、圧力検出装置７が、風圧検出装置５が風圧を検出してから一定時間内は、圧力検出感度を上げる。
【００３９】
このため、両手が塞がった状態の利用者１４や両手が不自由な利用者１４であっても、行先階を誤登録することなく、確実に登録することができる。即ち、利用者１４の意図に関らず、登録階床に似た発音をすることによる階床の登録を防止することができる。また、圧力検出装置７の誤検出を防止することができる。
【００４０】
また、表示装置９が、行先階の登録結果を表示する。さらに、音声出力装置１０が行先階の登録結果を音声出力する。このため、利用者１４は、行先階の登録結果を確実に確認することができる。
【００４１】
なお、実施の形態１では、かご３内の行先階登録装置４について説明した。しかし、乗場の行先登録装置を実施の形態１と同様の行先階登録装置４とすれば、同様の効果が得られる。また、音声入力装置６と圧力検出装置７とは、行先階を登録する手段である。このため、音声入力装置６と圧力検出装置７とは、必ずしも併設されている必要はなく、どちらか一方のみの設置でもよい。
【００４２】
さらに、表示装置９と音声出力装置１０とは、行先階登録の状況を利用者１４に知らせる手段である。このため、表示装置９と音声出力装置１０とは、必ずしも併設されている必要はなく、どちらか一方のみの設置でもよい。また、圧力検出装置７と表示装置９とは、圧力検出機能と表示機能を兼ね備えた一つの装置でも実現できる。例えば、圧力検出装置７と表示装置９とに変えて、両機能を備えたタッチパネル式表示器を利用することもできる。
【符号の説明】
【００４３】
１  制御室、  ２  制御装置、  ３  かご、  ４  行先階登録装置、  
５  風圧検出装置、  ６  音声入力装置、  ７  圧力検出装置、  ８  入力制御装置、
９  表示装置、  １０  音声出力装置、  １１  圧力検出部、
１２  圧力算出判定部、  １３  検出圧力、  １４  利用者、  １５  息
【図１】
2010247960.tif 000003
【図２】
2010247960.tif 000004
【図３】
2010247960.tif 000005
【図４】
2010247960.tif 000006
【図５】
2010247960.tif 000007